(57)【要約】【課題】必要に応じて錠前の交換作業が簡単かつ迅速に行なえる扉開閉用ハンドルの掛金装置を提供する。【解決手段】コードピン１９を収容した内筒１８と、内筒１８が回転可能かつ軸方向に抜取り不能に装着される外筒２１とからなり、外筒２１の外周輪郭を前記錠収容部９の内周輪郭と符合する断面形状に形成し、ドライバーピン２３が収容される一対の施錠用ピン収容部２５と、ドライバーピン２７が収容される一対の解錠用ピン収容部２９を、錠収容部９の施錠用係止溝１１と解錠用係止溝１２の間隔と同じ配置間隔で、外筒２１の外周面に突出形成し、施錠用ピン収容部２５及び解錠用ピン収容部２９の外周輪郭を、施錠用係止溝１１及び解錠用係止溝１２の内周輪郭と符合する断面形状に形成する。【選択図】図５
2006052602.tif 000002
【特許請求の範囲】
【請求項１】
フックレバー２の中間部を枢軸３によって固定本体１に起伏自在に枢着し、フックレバー２の背面部に扉開閉用ハンドル４が係脱する溝部５を設け、固定本体１とフックレバー２の間に作用力点の位置に対応してフックレバー２を倒伏方向または起立方向に回転付勢するデッドポイントバネ機構６を設け、フックレバー２の基端部に隣接して固定本体１に設けた錠収容部９に、ディスクタンブラ型シリンダー錠７の内筒８を回転可能かつ軸方向に抜取り不能に装着し、錠収容部９の内周面にディスクタンブラ１０が係脱するそれぞれ一対の施錠用係止溝１１および解錠用係止溝１２を形成し、内筒８に連動するストッパー１４によってフックレバー２を倒伏位置に錠止するようにした扉開閉用ハンドルの掛金装置に使用される交換用ピンタンブラ式シリンダー錠１７であって、
コードピン１９を半径方向のピン孔２０に収容した内筒１８と、内筒１８が回転可能かつ軸方向に抜取り不能に装着される外筒２１とからなり、外筒２１の外周輪郭を前記錠収容部９の内周輪郭と符合する断面形状に形成し、外筒２１の外周面に、半径方向のピン孔２２にドライバーピン２３とドライバーバネ２４が収容される一対の施錠用ピン収容部２５と、半径方向のピン孔２６にドライバーピン２７とドライバーバネ２８が収容される一対の解錠用ピン収容部２９を、前記施錠用係止溝１１と解錠用係止溝１２の配置間隔と同じ配置間隔で突出形成し、施錠用ピン収容部２５及び解錠用ピン収容部２９の外周輪郭を、施錠用係止溝１１及び解錠用係止溝１２の内周輪郭と符合する断面形状に形成してなる、扉開閉用ハンドルの掛金装置の交換用ピンタンブラ式シリンダー錠。
【発明の詳細な説明】
【技術分野】
【０００１】
本発明は、貨物自動車の荷箱や各種コンテナにおいて使用される扉開閉用ハンドルの掛金装置において、ディスクタンブラ型錠機構をピンタンブラ型錠機構に変更するために使用される交換用ピンタンブラ式シリンダー錠に関するものである。
【背景技術】
【０００２】
貨物自動車の荷箱では、観音開き式の２枚の扉の一方にロックシャフトが垂直方向に装備され、ロックシャフトの途中に扉開閉用ハンドルが枢着されており、当該一方の扉を閉鎖した後、扉開閉用ハンドルによってロックシャフトを回転させて、ロックシャフトの上下端部のロックカムを荷箱本体側のカムキーパーに係合させ、当該一方の扉を閉鎖位置に保持する。それから他方の扉を閉鎖した後、扉開閉用ハンドルは下向きに回転させられ、他方の扉に装備した掛金装置によって拘束される（例えば特許文献１参照）。
【０００３】
一般に掛金装置は、フックレバーの中間部を枢軸によって固定本体に起伏自在に枢着し、フックレバーの背面部に扉開閉用ハンドルが係脱する溝部を設け、固定本体とフックレバーの間に作用力点の位置に対応してフックレバーを倒伏方向または起立方向に回転付勢するデッドポイントバネ機構を設け、フックレバーの基端部に隣接して固定本体に、ディスクタンブラ型シリンダー錠の内筒が回転可能かつ軸方向に抜取り不能に装着される錠収容部を設け、錠収容部の内周面に、中心軸に関し対称的に配置され、ディスクタンブラが係脱する一対の施錠用係止溝と、同じく中心軸に関し対称的に配置され、ディスクタンブラが係脱する一対の解錠用係止溝を、両者間に角度間隔を置いて形成し、内筒の先端部にストッパーを固定し、内筒の鍵孔に挿入した鍵で内筒を施錠位置に回転させ、ストッパーをフックレバーの基端部背面に当接させて、フックレバーを倒伏位置に錠止するようになっている（例えば特許文献１参照）。
【０００４】
近時、貨物自動車の貨物を狙う盗犯者には、特殊なピッキング用具によってディスクタンブラを解錠位置に移動させて不正解錠する者がいる。このような不正解錠を抑制する対策としては、ディスクタンブラ型錠機構をセキュリティ性能に優れたピンタンブラ型錠機構に置き換えることが考えられる。錠収容部を含めて掛金装置を新規に設計製作する場合には、銃機構の置き換えは容易に行なえるが、既存の掛金装置において錠機構を入れ換えることはできない。
【０００５】
その理由は、単体として使用される場合においては、ディスクタンブラ式シリンダー錠の外筒の外周輪郭は、ピンタンブラ式シリンダー錠の外筒の外周輪郭と同様であるが、掛金装置に組み込んで使用される場合には、上記のようにディスクタンブラ式シリンダー錠の外筒部分が固定本体の錠収容部によって構成され、ディスクタンブラが係脱する施錠用係止溝と解錠用係止溝が錠収容部の内周面に設けられているため、ピンタンブラ式シリンダー錠の外筒の外周輪郭と相違しているからである。
【０００６】
外筒直径がディスクタンブラ式シリンダー錠と同じに設計されているピンタンブラ式シリンダー錠を、前記形態の錠収容部に装着したのでは、前記施錠用係止溝と解錠用係止溝の一部が隙間として掛金装置の正面に露出してしまい、外観上不体裁である。また、外筒と錠収容部との間の前記隙間に工具を差し込まれて、錠を穿り出される危険性があり、実用には耐えないものとなる。
【０００７】
【特許文献１】特開平９−２８７３３４号公報
【発明の開示】
【発明が解決しようとする課題】
【０００８】
本発明の課題は、既存の掛金装置のディスクタンブラ型錠機構を何らの不都合なくピンタンブラ型錠機構に切り換えることができる交換用ピンタンブラ式シリンダー錠を提供することである。
【課題を解決するための手段】
【０００９】
以下、添付図面中の参照符号を用いて説明すると、本発明の交換用ピンタンブラ式シリンダー錠１７は、フックレバー２の中間部を枢軸３によって固定本体１に起伏自在に枢着し、フックレバー２の背面部に扉開閉用ハンドル４が係脱する溝部５を設け、固定本体１とフックレバー２の間に作用力点の位置に対応してフックレバー２を倒伏方向または起立方向に回転付勢するデッドポイントバネ機構６を設け、フックレバー２に隣接して固定本体１に設けた錠収容部９にディスクタンブラ型シリンダー錠７の内筒８を装着し、錠収容部９の内周面にディスクタンブラ１０が係脱する各一対の施錠用係止溝１１と解錠用係止溝１２を形成し、内筒８に連動するストッパー１４によってフックレバー２を倒伏位置に錠止するようにした扉開閉用ハンドルの掛金装置に使用されるものであって、
コードピン１９を半径方向のピン孔２０に収容した内筒１８と、内筒１８が回転可能かつ軸方向に抜取り不能に装着される外筒２１とからなり、外筒２１の外周輪郭を前記錠収容部９の内周輪郭と符合する断面形状に形成し、外筒２１の外周面に、半径方向のピン孔２２にドライバーピン２３とドライバーバネ２４が収容される一対の施錠用ピン収容部２５と、半径方向のピン孔２６にドライバーピン２７とドライバーバネ２８が収容される一対の解錠用ピン収容部２９を、前記施錠用係止溝１１と解錠用係止溝１２の配置間隔と同じ配置間隔で突出形成し、施錠用ピン収容部２５及び解錠用ピン収容部２９の外周輪郭を、施錠用係止溝１１及び解錠用係止溝１２の内周輪郭と符合する断面形状に形成する。
【発明の効果】
【００１０】
以上のように本発明の交換用ピンタンブラ式シリンダー錠１７では、外筒２１の外周輪郭を固定本体１の錠収容部９の内周輪郭と符合する断面形状に形成し、半径方向のピン孔２２にドライバーピン２３とドライバーバネ２４が収容される一対の施錠用ピン収容部２５と、半径方向のピン孔２６にドライバーピン２７とドライバーバネ２８が収容される一対の解錠用ピン収容部２９を、錠収容部９の施錠用係止溝１１と解錠用係止溝１２の間隔と同じ配置間隔で外筒２１の外周面に突出形成し、施錠用ピン収容部２５及び解錠用ピン収容部２９の外周輪郭を、施錠用係止溝１１及び解錠用係止溝１２の内周輪郭と符合する断面形状に形成してあるため、既存の掛金装置において、ディスクタンブラ式シリンダー錠７の内筒８を錠収容部９から抜取った後、ピンタンブラ式シリンダー錠１７の外筒２１を錠収容部９に挿入したとき、錠収容部９それ自体は外筒２１によって隙間なしに埋め合わせられ、また錠収容部９の内周面にある施錠用係止溝１１と解錠用係止溝１２は外筒２１の施錠用ピン収容部２５と解錠用ピン収容部２９によって隙間なしに埋め合わせられる。
【００１１】
そのため、錠機構を入れ換えたにも拘わらず、掛金装置の正面に外観上不体裁な隙間を露呈させることがなく、また、当該隙間から工具を差し込まれてピンタンブラ式シリンダー錠を穿り取られる危険性がない。必要に応じてセキュリティ性能を改善させたピンタンブラ式シリンダー錠を、安全性を確保して簡単に交換することができる。
【実施例】
【００１２】
図示の実施例では、固定本体１の正面側壁部３０の中央部には縦長の割溝３１が形成されており、フックレバー２は中間部において水平方向の枢軸３で固定本体１に枢着されている。扉開閉用ハンドル４の係脱用溝部５は、フックレバー２の先端部背面にフック部３２に近接して形成されている。操作者の指で押されるフックレバー２の基端部前面には、滑り止め突起３３が形成されている。
【００１３】
錠収容部９は固定本体１の下方部分に大略筒状に形成されており、錠収容部９の背面は固定本体１の背面より引き込んだ位置にあり、ストッパー１４及び座金３４の装着用余裕空間を造出している。図７に示したようにストッパー１４は、ディスクタンブラ式シリンダー錠７の内筒８の先端部１３に相対回転不能に嵌められ、ビス１５によって内筒８に締め付け固着されている。
【００１４】
図８に示したように一対の施錠用係止溝１１は、錠収容部９の内周面に中心軸に関して対称的に形成されている。一対の解錠用係止溝１２も錠収容部９の内周面に中心軸に関して対称的に形成されている。施錠用係止溝１１と解錠用係止溝１２との間には９０度の角度間隔が置かれている。前記内筒８に直径方向に形成されたタンブラ収容溝１６には、ディスクタンブラ１０が収容され、圧縮コイルバネ３５によって突出方向に移動付勢されている。
【００１５】
内筒８の鍵孔３６から鍵を抜取った施錠状態では、図８に示したようにディスクタンブラ１０の先端部は、錠収容部９の一方の施錠用係止溝１１に係合しており、内筒８を固定本体１に対して回転不能に錠止している。所定の鍵（図示していない）を内筒８の鍵孔３６に抜き差しするとき、鍵の山谷状のキーコード部によっての鍵挿通孔３７の縁部が押されるため、ディスクタンブラ１０の先端部は一方の施錠用係止溝１１に出入りし、ディスクタンブラ１０の基端部は他方の施錠用係止溝１１に出入りする。
【００１６】
鍵が所定の深さまで挿入されると、全てのディスクタンブラ１０が内筒８のタンブラ収容溝１６内に引き込まれ、固定本体１に対する内筒８の錠止が解除される。鍵によって内筒８を９０度回転させると、タンブラ収容溝１６が解錠用係止溝１２に整列する。この位置で鍵を内筒８から抜取るとき、前記キーコード部によっての鍵挿通孔３７の縁部が押されるため、ディスクタンブラ１０の先端部は一方の解錠用係止溝１２に出入りし、ディスクタンブラ１０の基端部は他方の解錠用係止溝１２に出入りする。
【００１７】
この解錠状態において鍵が内筒８から抜取られたときには、全てのディスクタンブラ１０の先端部が前記一方の解錠用係止溝１２に入り込み、固定本体１に対する内筒８の錠止が成立する。すなわち、このディスクタンブラ式シリンダー錠７では、施錠位置と解錠位置のいずれにおいても鍵の抜き差しが行われる。
【００１８】
錠機構の入れ換えに当たっては、内筒８の鍵孔に鍵を挿入して全てのディスクタンブラ１０をタンブラ収容溝９内に没入させた状態で、前記ビス１５を外してストッパー１４をディスクタンブラ式シリンダー錠７の内筒８から取り外し、錠収容部９に対する内筒８の抜取り阻止手段を解除して、内筒８を錠収容部９から抜取る。
【００１９】
ピンタンブラ式シリンダー錠１７を用意し、施錠用ピン収容部２５を施錠用係止溝１１に位置合わせする一方、解錠用ピン収容部２９を解錠用係止溝１２に位置あわせして、外筒２１を錠収容部９に嵌め入れる。錠収容部９からの外筒２１の抜取り阻止手段を講じてから、内筒１８の先端部３８にストッパー１４を相対回転不能に嵌め合わせ、ビス１５によってストッパー１４を内筒１８に締め付け固着する。
【００２０】
このピンタンブラ式シリンダー錠１７は、図５に示したように内筒１８の鍵孔３９の相対向する一対の内側壁部には、ピン孔２０が軸方向に並列に配置して複数個ずつ形成されており、両側の各ピン孔には、互いに長さの相違するコードピン１９が挿入され、それらの内端部が鍵孔３９に突出している。このようなコードピン１９の設置配列と設置本数によって、得られる鍵違いが増加するとともに、ピッキングに対するセキュリティ性能が増進させられたものとなっている。
【００２１】
内筒１８の鍵孔３９から鍵（図示していない）を抜取っている施錠状態では、一対の施錠用ピン収容部２５に収容された各ドライバーピン２３の内端部は、内筒１８の一対のピン孔２０に入り込んでおり、内筒１８は外筒２１に対して回転不能に錠止されている。一対の解錠用ピン収容部２９に収容された各ドライバーピン２７の内端面は、内筒１８の外周面に当接している。
【００２２】
鍵を内筒１８の鍵孔３９に挿入すると、鍵１９のキーコード部に押されたコードピン１９がピン孔２０内を遠心方向に移動し、コードピン１９とドライバーピン２３との当接点が、内筒１８の外周面上に来る。これによって外筒２１に対する内筒１８の錠止が解除される。鍵によって内筒１８を９０度回転させると、内筒１８のピン孔２０が解錠用ピン収容部２９のピン孔２６に整列する。すなわち、このピンタンブラ式シリンダー錠１７では、施錠位置と解錠位置のいずれにおいても鍵の抜き差しが行われる。
【００２３】
ディスクタンブラ式シリンダー錠７とピンタンブラ式シリンダー錠１７のいずれにおいても、錠収容部９からの抜取り阻止は、公知の抜取り阻止手段によって行なうことができる。
例えば、内筒８、１８または外筒２１の周面に環状溝を形成し、突出方向にバネ付勢した抜止め用爪板またはＣ形止め輪を、錠収容部９の内周面に形成した環状係止溝に嵌め入れる方法である。また、錠収容部９の側壁部に形成した横孔から打ち込んだ抜止めピンを、内筒８，１８または外筒２１の外周面に形成した環状受溝に挿入することも一方法である。あるいはまた、内筒８，１８の先端部にスペーサー盤を嵌め、ストッパー１４を錠収容部９の先端面に当接させることもできる。
【００２４】
図９と図１０に示した別の実施例では、固定本体１の割溝３１の両側の背面壁部４９にストッパーブラケット４８をビス５０によって締付け固着してあり、ストッパーブラケット４８の軸孔５１に座金３４を回転可能に嵌め入れ、座金３４の外周面の環状溝５２にＣ形止め輪５３を弾性係合させることによって、座金３４を軸方向に移動不能に装着してある。ストッパーブラケット４８の前面側においてストッパー１４を座金３４に一体的に連結してあり、ストッパー１４の透孔５４と座金３４の受孔５５に回転内筒１８の小判型断面の先端部３８を相対回転不能に嵌め入れ、座金３４のビス挿通孔５６を通してビス１５を回転内筒１８の螺子孔５７に螺合してある。
【００２５】
前記実施例では、固定本体１に固着したストッパーブラケット４８の軸孔５１に座金体３４を抜取り不能に嵌着し、座金３４に一体的に連結したストッパー１４の透孔５４と座金３４の受孔５５に回転内筒１８の先端部３８を相対回転不能に嵌め入れ、座金３４のビス挿通孔５６を通してビス１５を回転内筒１８の螺子孔５７に螺合することによって、ピンタンブラ式シリンダー錠１７を固定本体１に取り付けており、押し戻し作業に手間取る旧来の抜止め用爪板を使用しないため、シリンダー錠の交換が簡単かつ迅速に行なえる。
【００２６】
デッドポイントバネ機構６のガイド板４１の頭部受溝４３は、フックレバー２側に固定された可動ピン４４に係合し、ガイド板４１の基部受溝４２は固定本体１側に固定された支持板４５の先端に係合している。ガイド板４１に嵌められた圧縮コイルバネ４６の一端はガイド板４１の頭部肩面４７に当接し、バネ４６の他端は前記支持板４５の肩部に当接している。支持板４５の先端と前記枢軸３とを結ぶ直線上を作用力点である可動ピン４４が越える毎にデッドポイントバネ機構６によるフックレバー２の回転付勢方向が反転する。
【図面の簡単な説明】
【００２７】
【図１】本発明の一実施例に係る交換用ピンタンブラ式シリンダー錠を装着した掛金装置の正面図である。
【図２】図１の掛金装置の右側面図であり、フックレバーは倒伏状態にある。
【図３】図１のＡ−Ａ線断面図である。
【図４】図１の掛金装置における下方部分の背面図である。
【図５】図１の掛金装置における錠収容部の横断面図であり、内筒は外筒に対して回転不能に錠止されている。
【図６】図１の掛金装置における固定本体の下方部分の背面図である。
【図７】ディスクタンブラ式シリンダー錠が装着されている掛金装置の縦断面図である。
【図８】図７の掛金装置における錠収容部の横断面図であり、内筒は錠収容部に対して回転不能に錠止されている。
【図９】本発明の他の実施例に係る交換用ピンタンブラ式シリンダー錠を装着した掛金装置の縦断面図である。
【図１０】図９の掛金装置における下方部分の背面図である。
【符号の説明】
【００２８】
１    掛金装置の固定本体
２    フックレバー
３    枢軸
４    扉開閉用ハンドル
５    扉開閉用ハンドルの係脱用溝部
６    デッドポイントバネ機構
７    ディスクタンブラ式シリンダー錠
８    ディスクタンブラ式シリンダー錠の内筒
９    錠収容部
１０  ディスクタンブラ
１１  施錠用係止溝
１２  解錠用係止溝
１３  ディスクタンブラ式シリンダー錠の内筒の先端部
１４  ストッパー
１５  ビス
１６  タンブラ収容溝
１７  ピンタンブラ式シリンダー錠
１８  ピンタンブラ式シリンダー錠の内筒
１９  コードピン
２０  ピン孔
２１  ピンタンブラ式シリンダー錠の外筒
２２  ピン孔
２３  ドライバーピン
２４  ドライバーバネ
２５  施錠用ピン収容部
２６  ピン孔
２７  ドライバーピン
２８  ドライバーバネ
２９  解錠用ピン収容部
３０  固定本体の正面側壁部
３１  正面壁部の割溝
３２  フック部
３３  滑り止め突起
３４  座金
３５  圧縮コイルバネ
３６  ディスクタンブラ式シリンダー錠の鍵孔
３７  ディスクタンブラの鍵挿通孔
３８  ピンタンブラ式シリンダー錠の内筒の先端部
３９  ピンタンブラ式シリンダー錠の鍵孔
４０  ドライバーバネの受板
４１  デッドポイントバネ機構のガイド板
４２  ガイド板の基部受溝
４３  ガイド板の頭部受溝
４４  可動ピン
４５  支持板
４６  圧縮コイルバネ
４７  ガイド板の頭部肩面
【図１】
2006052602.tif 000003
【図２】
2006052602.tif 000004
【図３】
2006052602.tif 000005
【図４】
2006052602.tif 000006
【図５】
2006052602.tif 000007
【図６】
2006052602.tif 000008
【図７】
2006052602.tif 000009
【図８】
2006052602.tif 000010
【図９】
2006052602.tif 000011
【図１０】
2006052602.tif 000012